(57)【要約】  本発明は、引込み式ニードルを伴うシリンジの再利用を確実に防止し、同時にピストンの内側に設定された機械式システムによってタンクを充填することを可能にする、革新的なシステムに関する。デバイスの再使用を防止する目的の動作は、ピストンが吸入の当初の位置に向かって戻るのを防止することで、その作用を単一方向に限定し、プランジャが当初の注入位置に戻るのを防止することで、その作用を単一方向に限定する、機械式システムを介して行われる。さらに、回転する機械式移行システムは、ピストンを前に使用された位置に再び位置付けるのを防止する。その代わりに、容器の充填は、ピストンの内側に配置された可撓性カニューレを介したシステムを使用して行われる。【選択図】図１
2021523775.tif 000002
【特許請求の範囲】
【請求項１】
引込み式ニードルシリンジの安全及び充填システムであって、小さい歯（１０２）及びノッチ付きの２つのフィン（１０４及び１０５）を伴う、内側頂部に設けられたバレル（１０１）と、外面に「Ｕ」型の溝システム（１０７）及び二重のラックシステム（１０８及び１０３）が存在し、その一方で内面には空洞（１１７）が装備され、前記空洞（１１７）の上部には、弁（１１２）が位置付けられた穴開きヘッド部（１１１）を有し、前記空洞（１１７）の内側には、連結ハウジング（１０９）、ばね（１１６）、及びアコーディオン状カニューレ（１１３）から構成される機械式システムが設置された、プランジャ（１０６）と、の存在を特徴とする、引込み式ニードルシリンジの安全及び充填システム。
【請求項２】
前記バレル（１０１）の内部に存在する前記歯（１０２）に沿って摺動する前記プランジャ（１０６）の外部に存在する、前記溝付きガイド（１０７）は、前記プランジャ（１０６）が、初めに底部から頂部へ動き、次に頂部から底部へ動くのを可能にする、請求項１に記載の引込み式ニードルシリンジの安全及び充填システム。
【請求項３】
前記プランジャ（１０６）における前記ラックシステム（１０３）は、前記バレル（１０１）に存在するノッチ付きの前記フィン（１０５）において重なり合い、それによって前記プランジャ（１０６）が当初の吸引位置に向かって戻るのを防止する、請求項１または２に記載の引込み式ニードルシリンジの安全及び充填システム。
【請求項４】
前記プランジャ（１０６）における前記ラックシステム（１０８）は、前記バレル（１０１）に存在するノッチ付きの前記フィン（１０４）において重なり合い、それによって前記プランジャ（１０６）が当初の注入位置に向かって戻るのを防止する、請求項１〜３のうちいずれか一項に記載の引込み式ニードルシリンジの安全及び充填システム。
【請求項５】
前記穴開きヘッド部（１１１）から構成される機械式システムは、前記プランジャ（１０６）の凹部（１１７）の内側に設置され、次にストッパ（１１５）が載せられた弁（１１２）によって閉鎖され、その中で薬剤を注入するために、前記アコーディオン状カニューレ（１１３）に接続され、その下部においてニードル（１１４）と結合し、注入の終了において前記ニードル（１１４）を引込むのを可能にする前記連結ハウジング（１０９）に接続される、請求項１〜４のうちいずれか一項に記載の引込み式ニードルシリンジの安全及び充填システム。
【請求項６】
前記アコーディオン状カニューレ（１１３）は、前記ばね（１１６）の内側に囲まれ、前記穴開きヘッド部（１１１）及び前記連結ハウジング（１０９）に接続され、前記連結ハウジング（１０９）は、薬剤を接種及び吸入する間に、伸長して引込む、請求項１または５に記載の引込み式ニードルシリンジの安全及び充填システム。
【発明の詳細な説明】
【技術分野】
【０００１】
本発明は、引込み式ニードルを伴うシリンジの再利用を確実に防止し、同時にピストンの内側に設定された機械式システムによってタンクを充填することを可能にする、革新的なシステムに関する。
【背景技術】
【０００２】
看護師、医師、獣医師、歯科医師などの医療専門家、ならびに廃棄物処理作業者は、薬物治療などのために既に使用された接種システムからの、過失による穿刺の危険に日々晒されている。それは、伝染する感染症を運ぶ可能性のある生物の生体液と、直接接触することになる。
【０００３】
既に使用された接種システムによって起こる過失による穿刺は、伝染病に晒される最も頻繁かつ危険な態様である。実際、過失による穿刺の後で、血液または生体液を介する４０以上の伝染する病原菌が存在する。それらの中には、ヒト免疫不全ウイルス（ＨＩＶ）、Ｂ型肝炎ウイルス（ＨＢＶ）、及びＣ型肝炎ウイルス（ＨＣＶ）が含まれる。公共及び民間の医療システムによる、生態学的危険を管理することに関連する課題は、過失による穿刺の肉体的危害を被る人によって、経済的及び心理的見地の両方から、非常に高く、かつ持続不能なコストを伴う。
【０００４】
しかし、非自然的な方法によって、薬剤を導入または抽出するための容器は、過失による穿刺の危険から安全を保証するだけではなく、再使用が不可能であることも保証しなければならない。
【０００５】
実際、特に経済的に貧しい国々において、ワクチンまたは他の薬物を投与した後、薬理物質を再導入するために容器を再使用することは、一般的慣習である。
【０００６】
市場では、様々なタイプの引込み式ニードルシリンジが存在し、いくつかは特別の特許を受けており、それらの安全システムは、よく起こることだが、容器内でピストンストロークを完了しないことによって無視される場合があり、それによってデバイスの再使用を可能にする。
【０００７】
薬物が予め充填された容器自体が医療施設に供給される、予防接種及び抗血栓剤の投与のために、薬剤容器を使用する事例も強調するべきである。
【０００８】
薬剤の充填は、容器が完全に分解されて供給される製薬会社によって実施される。その後製薬会社は、薬剤を充填した後で、別の段階において容器を組み立てる。
【０００９】
オペレータの操作を大幅に増やすことによって、このアプローチは、多くの準備段階において汚染の危険を増加させる。
【００１０】
欧州特許第２４４５５５４号明細書、米国特許第３９９８２２４号明細書、米国特許第４２５２１１８号明細書、米国特許第４３９１２７３号明細書、米国特許第４６８７４６７号明細書、米国特許第５０６２８３３号明細書、米国特許第５２０５８２５号明細書、ならびにロシア国特許出願公開第２２３６８７３号明細書、及び国際公開第１９９８／００１１７４号を含むいくつかの特許において、これらの課題を制限するための試みが、あらゆる面で成されてきたが、それらはいずれも、シリンジの再利用を完全に阻止できず、ニードルを使用せずにシリンジを簡単かつ効率的に充填する方法も提案できていない。
【先行技術文献】
【特許文献】
【００１１】
【特許文献１】欧州特許第２４４５５５４号明細書
【特許文献２】米国特許第３９９８２２４号明細書
【特許文献３】米国特許第４２５２１１８号明細書
【特許文献４】米国特許第４３９１２７３号明細書
【特許文献５】米国特許第４６８７４６７号明細書
【特許文献６】米国特許第５０６２８３３号明細書
【特許文献７】米国特許第５２０５８２５号明細書
【特許文献８】ロシア国特許出願公開第２２３６８７３号明細書
【特許文献９】国際公開第１９９８／００１１７４号
【発明の概要】
【発明が解決しようとする課題】
【００１２】
前述の危険な状態は、本発明によって克服される。本発明は、物質を導入すること、及び人体または動物の体から抽出することを可能にし、実質的に違反されない方法によってデバイスの再使用を防止して、使用するために準備された薬剤を容器に充填するための、別個の方法を記載する。
【課題を解決するための手段】
【００１３】
デバイスの再使用を防止する目的の動作は、下記の機械式システムを介して行われる：
ａ）一旦デバイス内で薬物の吸入作用を始めると、ピストンが吸入の当初の位置に向かって戻るのを防止し、それによってピストンの作用を単一方向に限定する。
ｂ）一旦デバイス内の薬剤の注入が始まると、プランジャが注入の当初の位置に戻るのを防止し、それによってプランジャの作用を単一方向に限定する。同様に、吸引動作と注入動作との間に配置され、ピストンを誘導するブロックで構成される、回転する機械式移行システムは、ピストンを前に使用された位置に再び位置付けるのを防止する。
【００１４】
その代わりに、容器の充填は、ピストンの内側に配置された可撓性カニューレを介したシステムを使用して行われる。それによって、所望の物質が容器の内側に注がれるように移され、注入される準備が整う。
【００１５】
次に本発明を、例示目的で好ましい実施形態に従って説明するが、いかなる限定としても理解するべきではなく、数字及び添付の図を詳細に参照し、使用される全ての実施形態は、それらの機能を侵害することなしに、本発明を限定することなく、サイズ、数、及び形状は変化し得る。
【図面の簡単な説明】
【００１６】
【図１】フィン及びラチェットを上から見て強調したボックス内の図を伴う、容器を示す図である。
【図２】フィン及びラチェットを伴う容器の一部を示す図である。
【図３】フィン及びラチェットを伴う容器の別の図である。
【図４】ピストンにおける「Ｕ」形状のチャネルシステム、及びラックシステムを示す図である。
【図５】ピストンにおける「Ｕ」形状のチャネルシステム、及びラックシステムを示す別の図である。
【図６】ピストンに存在する空洞を示す図である。
【図７】ピストンの内側に収容された機械式システムを示す図である。
【図８】ピストンの内側に収容された機械式システムの詳細図である。
【図９】圧縮されたときの、ピストンの内側に収容された機械式システムの詳細図である。
【発明を実施するための形態】
【００１７】
示された図を参照すると、システムの重要な要素は、容器（１０１）によって形成されることが明白である。その頂部には、歯（１０２）及びノッチ付きの２つのフィン（１０４及び１０５）が装着される。それらは各々、ピストン（１０６）が摺動及び係止するのを可能にし、そのためピストン（１０６）の外面は、「Ｕ」型形状のチャネルシステム（１０７）及び二重ラックシステム（１０８及び１０３）の存在によって特徴付けられる。
【００１８】
より正確には、容器（１０１）の内側には歯（１０２）が位置付けられ、それがピストンを、溝付きライン（１０７）に沿って容器（１０１）内で摺動させる。歯（１０２）に沿って摺動する溝付きガイド（１０７）は、薬物を吸入できるよう、初めにピストン（１０６）を底部から上方へ動かし、次にピストン（１０６）を回転させた後、薬物を注入するために頂部から底部へ動かすのを可能にする。
【００１９】
ピストン（１０６）の、逆行できない吸引及び注入運動は、容器（１０１）に存在するノッチ付きの２つのフィン（１０４及び１０５）と、ピストン（１０６）に存在する２つのラックシステム（１０８及び１０３）とが重なり合うことによって可能にされる、係止システムの結果である。これによって、互いに作用することで、ピストン（１０６）は元に戻らなくなる。
【００２０】
このように、一旦デバイスにおいて薬剤の吸引作用が開始されると、ラックシステム（１０３）がノッチ付きのフィン（１０５）と重なり合うことで、ピストン（１０６）が当初の吸引位置に向かって戻るのを防止し、ピストン（１０６）を一方向のみに摺動させる。同様に、一旦デバイスへの薬剤の注入作用が開始されると、ラックシステム（１０８）がノッチ付きのフィン（１０４）と重なり合うことで、ピストンが当初の注入位置に戻るのを防止する。
【００２１】
上記で説明したシステムは、予め充填された引込み式ニードルデバイスの事例において、過失による薬剤の放出も防止する。
【００２２】
ピストン（１０６）は特別な空洞（１１７）も有し、その基部には、ニードル（１１４）を接続し、一旦注入段階が終了されるとニードル（１１４）を引込める連結ハウジング（１０９）が存在し、パッド（１１０）から薬物の吸引段階及び注入段階を誘導する。
【００２３】
ピストン（１０６）の空洞（１１７）の内側において、穴開きヘッド部（１１１）によって上部を構成する機械式システムが設置される。穴開きヘッド部（１１１）は、システム全体をピストン（１０６）の内側に固定するのを可能にする。穴開きヘッド部（１１１）は、薬剤をシリンジの中に注入するのを可能にし、その上端部に弁（１１２）を有する。弁（１１２）は、容器内に存在する薬剤が外側に向けて逆流するのを防止する。
【００２４】
穴開きヘッド部（１１１）は、任意の生体適合性材料で作られたアコーディオン状カニューレ（１１３）に接続され、次にその下部において連結ハウジング（１０９）に接続される。連結ハウジング（１０９）は、注入端部において、ニードル（１１４）の結合、及び引込みを可能にする。
【００２５】
穴開きヘッド部（１１１）及び連結ハウジング（１０９）は、ばね（１１６）によって互いに接続される。ばね（１１６）は、アコーディオン状カニューレ（１１３）を収容し、薬剤を接種及び吸入する動作の間に、伸長して引込む。
【００２６】
オペレータまたは特別な機械は、ピストン（１０６）の中に存在するアコーディオン状カニューレ（１１３）を介して、ピストン（１０６）を容器の中に挿入した後で、穴開きヘッド部（１１１）を介して薬剤を容器（１０１）の中に注入し、次に防護キャップ（１１５）を用いてピストン（１０６）を閉鎖することができる。
【００２７】
本発明を、限定目的ではなく例示のためにその機能に関して説明した。したがって、本発明の形状、寸法、及び測定値、ならびに発明を構成する構成要素の配置、及び材料に関する変形及び／または変更も、保護の相対的範囲から逸脱することなく成され得ることを、理解されたい。
【図１】
2021523775.tif 000003
【図２】
2021523775.tif 000004
【図３】
2021523775.tif 000005
【図４−５】
2021523775.tif 000006
【図６】
2021523775.tif 000007
【図７】
2021523775.tif 000008
【図８】
2021523775.tif 000009
【図９】
2021523775.tif 000010
【国際調査報告】
2021523775.tif 000011
2021523775.tif 000012